(57)【要約】    【課題】  本発明の課題は、表面扉の無断開放が防止できるとともに、視覚的な防犯効果を有し、しかも、台交換に際して取り付け、取り外し作業が発生しない遊技台のロック装置を提供することにある。    【解決手段】  本発明に関わる遊技台のロック装置は、前方に開く態様で台支持体３に枢設される表面扉２を具備する遊技台１のロック装置であって、表面扉２の開放ロック時には表面扉２の近傍かつ前方のロック位置に移動し表面扉２の開放を阻止し、表面扉２の開放非ロック時にはロック位置から表面扉２の開放を許容する非ロック位置に移動するロック手段ｒを台支持体３に備えている。    【選択図】  図１
2005349017.tif 000002
【特許請求の範囲】
【請求項１】
前方に開く態様で台支持体に枢設される表面扉を具備する遊技台のロック装置であって、
表面扉の開放ロック時には前記表面扉の近傍かつ前方のロック位置に移動し前記表面扉の開放を阻止し、前記表面扉の開放非ロック時には前記ロック位置から前記表面扉の開放を許容する非ロック位置に移動するロック手段を台支持体に備える
ことを特徴とする遊技台のロック装置。
【請求項２】
前記ロック手段は、棒状を呈するとともにその長手方向に沿って複数の固定用孔が設けられ、
前記ロック手段を、前記移動を担う移動手段の動力伝達部材に挿通するとともに、固定部材を前記動力伝達部材に穿設された孔と前記ロック手段の複数の固定用孔のうちの何れか一つの孔とに挿通することにより、前記移動手段の動力伝達部材に固定する
ことを特徴とする請求項１に記載の遊技台のロック装置。
【請求項３】
前記ロック手段は、Ｌ字状の棒状を呈し、前記台支持体における前記表面扉の近傍に揺動自在に設置され、
前記表面扉の開放ロック時には、前記移動手段により、前記表面扉を開放しようとした場合に係止して開放を阻止するロック位置に揺動し、
前記表面扉の開放非ロック時には、前記移動手段により、前記ロック位置から前記表面扉に係止することなく開放を許容する非ロック位置に揺動する
ことを特徴とする請求項１または請求項２に記載の遊技台のロック装置。
【発明の詳細な説明】
【技術分野】
【０００１】
本発明は、パチンコ台等の遊技台の表面扉の無断開放を防止する遊技台のロック装置に関する。
【背景技術】
【０００２】
従来、図６に示すパチンコ台１００には、パチンコ台１００の釘に細工して玉の出を良くするなどの不法行為の防止を目的に、表面扉１０１の鍵と中扉１０２の鍵とが備えられ２重にロックが行われている。
【０００３】
さらに、不法行為を未然に防止するため、複数の監視カメラにより店内を監視しつつ、３〜４人、多くて６〜７人の従業員が店内を巡回している。
【０００４】
また、上記表面扉１０１の鍵に代替し、表面扉１０１の内側にワイヤ(図示せず)を取り付け、該ワイヤをスプリングを利してリールで巻き込み、該リールを機械的にロックし、開放スィッチをオンしないと開かないように構成されたものがある。
【０００５】
本出願に関し、出願人が認識している公知技術は上記構成であるが、文献公知発明について掌握しているものはない。
【発明の開示】
【発明が解決しようとする課題】
【０００６】
ところで、上述の如く、表面扉１０１の鍵および中扉１０２の鍵でパチンコ台１００を二重にロックし、さらに、監視カメラにより監視を行っている場合においても、事師、すなわち不法行為者は、店の人を教唆して表面扉１０１の鍵、中扉１０２の鍵を入手してしまう。
【０００７】
そして、他日、店内において、不法行為者が１０人前後で徒党を組み、おとりが、「玉が詰まったぞ！」、「出が悪いぞ！」などと店の人を呼んで店内のある島(パチンコ台１００が複数台、集合する場所)に集めて注意をそらし、その間に店内の注意が行き届かない他の島で、別の不法行為者が、監視カメラから見えないようにしつつ、不正入手した鍵により表面扉１０１、中扉１０２を開放し、玉の出を良くする等の細工が行われている。
【０００８】
一方、ワイヤ式のロック装置においても、店内の喧騒の中で、バールなどで表面扉１０１をこじ開け、カッターでワイヤを切断してロックを外すことが、公然と行われている。
【０００９】
加えて、ワイヤ式のロック装置は、プラスチック製であるため、衝撃を加えることにより容易に破壊され、ロックが外されるという問題がある。
【００１０】
また、パチンコ台１００は、１年間に３〜４回、台交換が行われるため、その度に、これらの錠、ロック装置の交換が必要であり、コスト負担が発生するという不都合がある。
【００１１】
本発明は上記実状に鑑み、表面扉の無断開放が防止できるとともに、視覚的な防犯効果を有し、しかも、台交換に際して取り付け、取り外し作業が発生しない遊技台のロック装置の提供を目的とする。
【課題を解決するための手段】
【００１２】
上記目的を達成するべく、本発明の請求項１に関わる遊技台のロック装置は、前方に開く態様で台支持体に枢設される表面扉を具備する遊技台のロック装置であって、表面扉の開放ロック時には前記表面扉の近傍かつ前方のロック位置に移動し前記表面扉の開放を阻止し、前記表面扉の開放非ロック時には前記ロック位置から前記表面扉の開放を許容する非ロック位置に移動するロック手段を台支持体に備えることを特徴としている。
【００１３】
本発明の請求項２に関わる遊技台のロック装置は、請求項１に記載の遊技台のロック装置において、前記ロック手段は、棒状を呈するとともにその長手方向に沿って複数の固定用孔が設けられ、前記ロック手段を、前記移動を担う移動手段の動力伝達部材に挿通するとともに、固定部材を前記動力伝達部材に穿設された孔と前記ロック手段の複数の固定用孔のうちの何れか一つの孔とに挿通することにより、前記移動手段の動力伝達部材に固定することを特徴としている。
【００１４】
本発明の請求項３に関わる遊技台のロック装置は、請求項１または請求項２に記載の遊技台のロック装置において、前記ロック手段は、Ｌ字状の棒状を呈し、前記台支持体における前記表面扉の近傍に揺動自在に設置され、前記表面扉の開放ロック時には、前記移動手段により、前記表面扉を開放しようとした場合に係止して開放を阻止するロック位置に揺動し、前記表面扉の開放非ロック時には、前記移動手段により、前記ロック位置から前記表面扉に係止することなく開放を許容する非ロック位置に揺動することを特徴としている。
【発明の効果】
【００１５】
以上、詳述した如く、本発明の請求項１に関わる遊技台のロック装置によれば、表面扉の開放ロック時には表面扉の近傍かつ前方のロック位置に移動し表面扉の開放を阻止し、表面扉の開放非ロック時にはロック位置から表面扉の開放を許容する非ロック位置に移動するロック手段を台支持体に備えるので、表面扉の無断開放を防止できる。
【００１６】
また、ロック手段を台支持体に備えるので、遊技台の交換に際して、ロック装置の取り付け、取り外し作業が発生せず、作業コストが低減される。
【００１７】
また、ロック手段は、表面扉の前方に視認されるため、表面扉の不正な開放を防止する視覚的効果がある。
【００１８】
本発明の請求項２に関わる遊技台のロック装置によれば、ロック手段は、棒状を呈するとともにその長手方向に沿って複数の固定用孔が設けられ、ロック手段を、移動を担う移動手段の動力伝達部材に挿通するとともに、固定部材を動力伝達部材に穿設された孔とロック手段の複数の固定用孔のうちの何れか一つの孔とに挿通することにより、移動手段の動力伝達部材に固定するので、固定用孔を選択することにより表面扉からのロック手段の位置が調整でき、様々な遊技台に適用できる。
【００１９】
また、停電時においても、固定部材を抜き去ることにより、容易にロック手段を揺動手段から外すことが可能であり、環境対応性が良好である。
【００２０】
本発明の請求項３に関わる遊技台のロック装置によれば、ロック手段は、Ｌ字状の棒状を呈するので簡易な構造であり、しかも、移動手段により揺動してロック・アンロックを行うので、円滑な動作が可能である。
【発明を実施するための最良の形態】
【００２１】
以下、本発明の実施形態について添付図面を参照して説明する。
【００２２】
図１に示すように、本発明を適用した実施例のパチンコ台(遊技台)１、１、…は、その前面に、台支持体３に開閉自在に設けられる表面扉２、…をそれぞれ備えており、各表面扉２、…の上部の前方かつ近傍には、表面扉２、…の無断開放を阻止するためのＬ状ロック材(ロック手段)ｒ、…が、それぞれ配設されている。(図２参照)
このＬ状ロック材ｒは、図２に示すように、台支持体３における表面扉２近傍のロック支持部５に挿通され矢印αのように揺動自在に設置されており、表面扉２のロック時には実線の位置(ロック位置)に揺動し、表面扉２の無断開放を阻止し、表面扉２の非ロック時には二点鎖線の位置(非ロック位置)に揺動し、表面扉２の開放を許容する。
【００２３】
このように、Ｌ状ロック材ｒ、…を、矢印αに示すように揺動させることにより、表面扉２、…のロック、アンロックを行い、表面扉２の不法な開放を阻止している。
【００２４】
Ｌ状ロック材ｒは、例えば、φ８のステンレス鋼棒が用いられ、図３(ａ)に示すように、ロック部ｒ1とロック支持部ｒ2とが略直角を成すようにＬ字状に曲げ成形されている。
【００２５】
ここで、Ｌ状ロック材ｒは、防犯用に用いるために所定の曲げ剛性を確保せねばならず、その径を所定値以上に設定する必要がある。
【００２６】
加えて、不法行為者がロック部ｒ1を掴んで、Ｌ状ロック材ｒを不法に揺動して表面扉２を開放することがないように、ロック部ｒ1の長さは出来るだけ短くして、モーメントがかからないようにするとよい。
【００２７】
このＬ状ロック材ｒのロック支持部ｒ2の端部には、図３(ａ)のＡ方向矢視図の図３(ｂ)に示すように、２つの平行面ｒ21、ｒ22が形成され、この平行面ｒ21、ｒ22を貫通して、Ｌ状ロック材ｒを固定するための固定用孔ｒa1、ｒa2、ｒa3、ｒa4が、その長手方向に沿って複数、穿孔されている。
【００２８】
このように形成されたＬ状ロック材ｒを、揺動駆動させるための揺動装置(移動手段)Ｙsに固定するに際しては、概念図の図４に示すように、Ｌ状ロック材ｒのロック支持部ｒ2を、固定用ボス６aが形成されたロックウォームホイール(動力伝達部材)６の中心孔６bに挿通させる。なお、揺動装置Ｙsは、表面扉２の外側の台支持体３内に設置されている。
【００２９】
そして、ロックウォームホイール６の固定用ボス６aの側面から中心部を貫通するロック孔６a1に、ロック支持部ｒ2の固定用孔ｒa1、ｒa2、ｒa3、ｒa4の何れかの孔を合わせて、割りピン(固定部材)７を挿通させ、Ｌ状ロック材ｒをロックウォームホイール６に固定する。
【００３０】
このように、Ｌ状ロック材ｒをロックウォームホイール６に固定する際に、固定用孔ｒa1、ｒa2、ｒa3、ｒa4の何れかの孔を選択することにより、Ｌ状ロック材ｒのロック部ｒ1のロックウォームホイール６からの距離が調節できる構成である。
【００３１】
この構成により、図５に示すように、表面扉２′の上部にパチンコ台１′の装飾用にプラスチック製の化粧材ｋが設けられた場合にも、台支持体３′表面からのＬ状ロック材ｒのロック部ｒ1までの距離ｍを、図３(ａ)に示す固定用孔ｒa1〜ｒa4を任意に選択することにより、調節することができる。
【００３２】
そのため、化粧材ｋの有無に拘らず、Ｌ状ロック材ｒを種々のパチンコ台１に適用することができる。
【００３３】
また、Ｌ状ロック材ｒは、割りピン７により固定される構成なので、停電が発生した場合にも、割りピン７を抜き去ることでＬ状ロック材ｒを簡単に外せ、容易にロック解除を行える。
【００３４】
このＬ状ロック材ｒが固定されたロックウォームホイール６は、図４に示すように、ロックウォーム７に噛合い、該ロックウォーム７は、変速ギアＧを介して、小型直流モータＭに連結されている。
【００３５】
このような構成により、小型直流モータＭを、正逆回転駆動することによって、ロックウォーム７が矢印γのように正逆回転し、それに伴なってロックウォームホイール６が矢印βのように回転するため、Ｌ状ロック材ｒが、矢印αのように揺動することができる。(図１、図２参照のこと)
次に、パチンコ台１の表面扉２の無断開放を阻止するためのロック操作、および、表面扉２の開放を阻止することなく許容するアンロック操作について説明する。
【００３６】
図１、図２に示すような表面扉２、…の開放の阻止を取り止めるには、台支持体３に設置されたリモコン受光部４(図１参照)に対して、管理者が、リモコン投光機(図示せず)を向けてロック用スィッチをオフする。
【００３７】
すると、制御手段により、小型直流モータＭに電流が流され稼動され、その動力が、ロックウォーム７、ロックウォームホイール６を介してＬ状ロック材ｒに伝達される
そして、Ｌ状ロック材ｒが、実線の位置から二点鎖線の位置に揺動して、表面扉２の開放を許容する位置に移動する。
【００３８】
逆に、表面扉２の開放をロックするに際しては、管理者が、リモコン投光機(図示せず)をリモコン受光部４に向けてロック用スィッチをオンする。
【００３９】
すると、制御手段により、小型直流モータＭに電流が流されて稼動され、その動力がロックウォーム７、ロックウォームホイール６を介してＬ状ロック材ｒに伝達され、Ｌ状ロック材ｒが、二点鎖線の位置から実線の位置に揺動して、表面扉２の開放を阻止するロック状態に移行する。
【００４０】
なお、パチンコ台１の表面扉２のロックの開閉は、制御手段により、図１に示すような複数のパチンコ台１、１、…を一括して行うように構成してもよいし、所定の複数のパチンコ台１をグループ化して行うように構成してもよいし、また、特定のパチンコ台１を指定して行うように構成してもよい。
【００４１】
また、このようなリモコン操作を行うことなく、各パチンコ台１に対応して台支持体３に設置されたロックスィッチ(図示せず)を、管理者がそれぞれオン・オフすることにより、制御手段により、Ｌ状ロック材ｒ、…の揺動を行うように構成してもよい。
【００４２】
この場合、制御手段により、ロックスィッチでパチンコ台１を複数、指定してロックの開閉を行うことも可能であるし、また、フロア全てのパチンコ台１、…を一括してロックの開閉を行うように構成することも可能である。
【００４３】
上記構成によれば、表面扉２の開放を阻止する際には、Ｌ状ロック材ｒのロック部ｒ1が表面扉２の前方かつ近傍に揺動して開動作を阻止するため、無断で表面扉２を開放することが防止できる。
【００４４】
また、Ｌ状ロック材ｒは、所定の径を有する鋼棒であるため、堅牢であり、不正に変形、破壊することが困難である。
【００４５】
また、Ｌ状ロック材ｒは、パチンコ台１の表面扉２の前方に位置するため、見るからに不正行為のヤル気をそぎ、視覚的な防犯効果がある。
【００４６】
また、Ｌ状ロック材ｒは、表面扉２の外側の台支持体３に設置され、また、揺動装置Ｙsは、表面扉２の外側の台支持体３内に設置されるので、パチンコ台１の台交換が行われる場合にも、Ｌ状ロック材ｒ、揺動装置Ｙsの取り付け、取り外しの作業が発生しない。
【００４７】
そのため、維持コストがかからず、低コストである。
【００４８】
従って、不法な表面扉の開放が困難であるとともに、視覚的な防犯効果を有し、しかも、台交換に際して取り付け、取り外し作業が発生しないパチンコ台のロック装置が得られる。
【００４９】
なお、本実施例においては、ロック部材としてＬ字状を呈するＬ状ロック材ｒを例示したが、表面扉２の開放を阻止する構成ならば、Ｌ状の形状に限定されるものでない。
【００５０】
また、Ｌ状ロック材ｒとしてステンレス鋼棒を例示したが、剛性の高い材料であれば、鉛等のその他の材料を用いてもよい。
【産業上の利用可能性】
【００５１】
本発明の活用例として、実施例のパチンコ台の他、前方に開く扉を有する遊技台であれば、様々な遊技台に適用可能である。
【図面の簡単な説明】
【００５２】
【図１】本発明に関わる実施例のパチンコ台を示す前面図。
【図２】本発明に関わる実施例のパチンコ台のロック装置の動作を示す拡大斜視図。
【図３】(ａ)および(ｂ)は、本発明に関わる実施例のロック装置のＬ状ロック材を示す斜視図、および(ａ)図のＬ状ロック材のＡ方向拡大矢視図。
【図４】本発明に関わる実施例のロック装置の構造を示す概念図。
【図５】化粧材が付加されたパチンコ台に本発明に関わる実施例のロック装置を適用した状態を示す図。
【図６】従来のパチンコ台を示す斜視図。
【符号の説明】
【００５３】
１、１′…パチンコ台(遊技台)、
２、２′…表面扉、
３、３′…台支持体、
６…ロックウォームホイール(動力伝達部材)、
６a1…ロック孔(動力伝達部材に穿設された孔)、
７…割りピン(固定部材)、
ｒ…Ｌ状ロック材(ロック手段)、
ｒa1、ｒa2、ｒa3、ｒa4…固定用孔、
Ｙs…揺動装置(移動手段)。
【図１】
2005349017.tif 000003
【図２】
2005349017.tif 000004
【図３】
2005349017.tif 000005
【図４】
2005349017.tif 000006
【図５】
2005349017.tif 000007
【図６】
2005349017.tif 000008